【手続補正書】
【提出日】平成25年3月12日(2013.3.12)
【手続補正１】
【補正対象書類名】特許請求の範囲
【補正対象項目名】全文
【補正方法】変更
【補正の内容】
【特許請求の範囲】
【請求項１】
以下の工程を含む、セルロース材料またはリグノセルロース材料の分解抵抗性（recalcitrance）を低減させるための方法:
混合物中で、第1のレベルの分解抵抗性を有する放射線照射された第1のセルロース材料またはリグノセルロース材料を、1つ以上の天然に存在する非放射性の5、6、7、8、9、10または11族の元素を含む1種類以上の化合物と接触させて、第1のレベルの分解抵抗性よりも低い第2のレベルの分解抵抗性を有する第2のセルロース材料またはリグノセルロース材料を生成する工程。
【請求項２】
1つ以上の元素が、1＋、2＋、3＋、4＋または5＋の酸化状態である、請求項1記載の方法。
【請求項３】
1つ以上の元素が、Mn、Fe、Co、Ni、CuもしくはZnを含む、および/または
1つ以上の元素が、2＋、3＋もしくは4＋の酸化状態のFeを含む、
請求項1または2記載の方法。
【請求項４】
混合物が、前記元素のうちの少なくともいくつかの酸化状態を増加させることができる1種類以上の酸化剤をさらに含む、ならびに/または
酸化剤が、オゾンおよび/もしくは過酸化水素を含む、ならびに/または
接触の間、pHを約5.5以下、例えば、1から5の間、2から5の間、2.5から5の間もしくは約3から5の間に維持する工程をさらに含む、
前記請求項のいずれか一項記載の方法。
【請求項５】
第1のセルロース材料もしくはリグノセルロース材料を水もしくは水性媒体中に分散させ、続いて、まず1種類以上の前記化合物を添加し、次いで1種類以上の前記酸化剤を添加する工程をさらに含むか、または
第1のセルロース材料もしくはリグノセルロース材料を水もしくは水性媒体中に分散させ、続いて、まず1種類以上の前記酸化剤を添加し、次いで1種類以上の前記化合物を添加する工程をさらに含む、
請求項4記載の方法。
【請求項６】
分散液中で計測される1種類以上の前記化合物中の元素の総最大濃度が、約10μMから約500mM、例えば約25μMから約250mMの間または約100μMから約100mMの間である、前記請求項のいずれか一項記載の方法。
【請求項７】
1種類以上の前記酸化剤の総最大濃度が、約100μMから約1M、例えば約250μMから約500mMの間、もしくは約500μmから250mMの間であるか、または
例えば第1のセルロース材料もしくはリグノセルロース材料および1種類以上の前記化合物に粒子線、例えば電子線もしくはプロトン線を空気を介して照射することによってオゾンをインサイチューで発生させることにより、1種類以上の前記酸化剤を、第1のセルロース材料もしくはリグノセルロース材料および1種類以上の前記化合物にガスとして適用する、
請求項4または請求項5記載の方法。
【請求項８】
混合物が1種類以上の前記化合物および1種類以上の前記酸化剤を含み、1種類以上の前記化合物中の元素と1種類以上の前記酸化剤とのモル比が、約1:1000から約1:25、例えば約1:500から約1:25もしくは約1:100から約1:25である、ならびに/または
混合物が、1種類以上のヒドロキノン、例えば2,5-ジメトキシヒドロキノンおよび/もしくは1種類以上のベンゾキノン、例えば2,5-ジメトキシ-1,4-ベンゾキノンをさらに含む、ならびに/または
1種類以上の前記酸化剤を、インサイチューで電気化学的もしくは電磁的に発生させる、
前記請求項のいずれか一項記載の方法。
【請求項９】
（1）放射線照射されたセルロース材料またはリグノセルロース材料と、（2）1つ以上の天然に存在する非放射性の5、6、7、8、9、10または11族の元素を含む1種類以上の化合物と、任意で、（3）前記元素のうちの少なくともいくつかの酸化状態を増加させることができる1種類以上の酸化剤とを含む、組成物。
【請求項１０】
以下の工程を含む、セルロース材料またはリグノセルロース材料の分解抵抗性を低減させる方法:
第1のレベルの分解抵抗性を有する放射線照射された第1のリグノセルロース材料を1種類以上のリグニナーゼおよび/または1種類以上のバイオマス破壊生物、例えばリグニン破壊生物と接触させて、第1のレベルの分解抵抗性よりも低い第2のレベルの分解抵抗性を有する第2のリグノセルロース材料を生成する工程、ならびに
第2のリグノセルロース材料を酵素および/または微生物と接触させる工程。
【請求項１１】
リグニナーゼが、マンガンペルオキシダーゼ、リグニンペルオキシダーゼ、ラッカーゼおよびそれらの混合物からなる群より選択される、請求項10記載の方法。
【請求項１２】
バイオマス破壊生物が、白色腐朽、褐色腐朽、軟腐朽およびそれらの混合物からなる群より選択される、請求項10記載の方法。
【請求項１３】
第2のセルロース材料またはリグノセルロース材料を酵素および/または微生物と接触させる工程をさらに含む、請求項1記載の方法。
【請求項１４】
分解抵抗性が低減した材料を糖化し、次いで該糖化された材料を発酵する工程をさらに含む、請求項1記載の方法。
【請求項１５】
以下の工程を含む、セルロース材料またはリグノセルロース材料の分解抵抗性を低減させる方法:
混合物中で、第1のレベルの分解抵抗性を有する放射線照射された第1のセルロース材料またはリグノセルロース材料を、1つ以上の天然に存在する非放射性金属元素を含む1種類以上の化合物と接触させて、第1のレベルの分解抵抗性よりも低い第2のレベルの分解抵抗性を有する第2のセルロース材料またはリグノセルロース材料を生成する工程。
【手続補正２】
【補正対象書類名】明細書
【補正対象項目名】００４１
【補正方法】変更
【補正の内容】
【００４１】
[本発明1001]
以下の工程を含む、セルロース材料またはリグノセルロース材料の分解抵抗性（recalcitrance）を低減させるための方法:
混合物中で、第1のレベルの分解抵抗性を有する第1のセルロース材料またはリグノセルロース材料を、1つ以上の天然に存在する非放射性の5、6、7、8、9、10または11族の元素を含む1種類以上の化合物と接触させて、第1のレベルの分解抵抗性よりも低い第2のレベルの分解抵抗性を有する第2のセルロース材料またはリグノセルロース材料を生成する工程。
[本発明1002]
1つ以上の元素が、1＋、2＋、3＋、4＋または5＋の酸化状態である、本発明1001の方法。
[本発明1003]
1つ以上の元素が、Mn、Fe、Co、Ni、CuまたはZnを含む、本発明1001または1002の方法。
[本発明1004]
1つ以上の元素が、2＋、3＋または4＋の酸化状態のFeである、前記本発明のいずれかの方法。
[本発明1005]
混合物が、前記元素のうちの少なくともいくつかの酸化状態を増加させることができる1種類以上の酸化剤をさらに含む、前記本発明のいずれかの方法。
[本発明1006]
酸化剤が、オゾンおよび/または過酸化水素を含む、前記本発明いずれかの方法。
[本発明1007]
接触の間、pHを約5.5以下、例えば、1から5の間、2から5の間、2.5から5の間または約3から5の間に維持する工程をさらに含む、前記本発明のいずれかの方法。
[本発明1008]
第1のセルロース材料またはリグノセルロース材料を水または水性媒体中に分散させ、続いて、まず1種類以上の前記化合物を添加し、次いで1種類以上の前記酸化剤を添加する工程をさらに含む、本発明1005〜1007のいずれかの方法。
[本発明1009]
第1のセルロース材料またはリグノセルロース材料を水または水性媒体中に分散させ、続いて、まず1種類以上の前記酸化剤を添加し、次いで1種類以上の前記化合物を添加する工程をさらに含む、本発明1005〜1007のいずれかの方法。
[本発明1010]
分散液中で計測される1種類以上の前記化合物中の元素の総最大濃度が、約10μMから約500mM、例えば約25μMから約250mMの間または約100μMから約100mMの間である、前記本発明のいずれかの方法。
[本発明1011]
1種類以上の前記酸化剤の総最大濃度が、約100μMから約1M、例えば約250μMから約500mMの間、または約500μmから250mMの間である、本発明1005〜1009のいずれかの方法。
[本発明1012]
例えば第1のセルロース材料またはリグノセルロース材料および1種類以上の前記化合物に粒子線、例えば電子線またはプロトン線を空気を介して照射することによってオゾンをインサイチューで発生させることにより、1種類以上の前記酸化剤を、第1のセルロース材料またはリグノセルロース材料および1種類以上の前記化合物にガスとして適用する、本発明1005〜1009のいずれかの方法。
[本発明1013]
混合物が1種類以上の前記化合物および1種類以上の前記酸化剤を含み、1種類以上の前記化合物中の元素と1種類以上の前記酸化剤とのモル比が、約1:1000から約1:25、例えば約1:500から約1:25または約1:100から約1:25である、前記本発明のいずれかの方法。
[本発明1014]
混合物が、1種類以上のヒドロキノン、例えば2,5-ジメトキシヒドロキノンおよび/または1種類以上のベンゾキノン、例えば2,5-ジメトキシ-1,4-ベンゾキノンをさらに含む、前記本発明のいずれかの方法。
[本発明1015]
1種類以上の前記酸化剤を、インサイチューで電気化学的または電磁的に発生させる、前記本発明のいずれかの方法。
[本発明1016]
（1）セルロース材料またはリグノセルロース材料と、（2）1つ以上の天然に存在する非放射性の5、6、7、8、9、10または11族の元素を含む1種類以上の化合物と、任意で、（3）前記元素のうちの少なくともいくつかの酸化状態を増加させることができる1種類以上の酸化剤とを含む、組成物。
[本発明1017]
以下の工程を含む、セルロース材料またはリグノセルロース材料の分解抵抗性を低減させる方法:
第1のレベルの分解抵抗性を有する第1のリグノセルロース材料を1種類以上のリグニナーゼおよび/または1種類以上のバイオマス破壊生物、例えばリグニン破壊生物と接触させて、第1のレベルの分解抵抗性よりも低い第2のレベルの分解抵抗性を有する第2のリグノセルロース材料を生成する工程、ならびに
第2のリグノセルロース材料を酵素および/または微生物と接触させる工程。
[本発明1018]
リグニナーゼが、マンガンペルオキシダーゼ、リグニンペルオキシダーゼ、ラッカーゼおよびそれらの混合物からなる群より選択される、本発明1017の方法。
[本発明1019]
バイオマス破壊生物が、白色腐朽、褐色腐朽、軟腐朽およびそれらの混合物からなる群より選択される、本発明1017の方法。
[本発明1020]
第2のセルロース材料またはリグノセルロース材料を酵素および/または微生物と接触させる工程をさらに含む、本発明1001の方法。
[本発明1021]
分解抵抗性が低減した材料を糖化し、次いで該糖化された材料を発酵する工程をさらに含む、本発明1001の方法。
[本発明1022]
以下の工程を含む、セルロース材料またはリグノセルロース材料の分解抵抗性を低減させる方法:
混合物中で、第1のレベルの分解抵抗性を有する第1のセルロース材料またはリグノセルロース材料を、1つ以上の天然に存在する非放射性金属元素を含む1種類以上の化合物と接触させて、第1のレベルの分解抵抗性よりも低い第2のレベルの分解抵抗性を有する第2のセルロース材料またはリグノセルロース材料を生成する工程。
本発明の他の特徴および利点は、以下の詳細な説明および特許請求の範囲から明らかとなる。